(57)【要約】【課題】  メモリ装置の容量を節約するとともに、映像の解像度を向上できるようにする。【解決手段】  そのカバーされる範囲内における映像情報を連続的にキャッチするための映像取得ユニット（１）と、前記の映像取得ユニット（１）と接続し、最も新しい映像情報を受け取り、且つ記録ユニット（２１）と映像処理ユニット（２２）とを有する、デジタル処理装置（２）と、からなる。【選択図】  図１
2006050030.tif 000002
【特許請求の範囲】
【請求項１】
そのカバーされる範囲内における映像情報を連続的にキャッチするための映像取得ユニットと、
前記の映像取得ユニットと接続し、最も新しい映像情報を受け取り、且つ記録ユニットと映像処理ユニットとを有する、デジタル処理装置と、を備えており、  
その中では、前記の記録ユニットには、若干の一時保存用と長期間保存用のデータ・パックが配設され、それぞれには、前記の映像取得ユニットのキャッチしたグローバル・イメージ・データを一時保存し、また、後続きの映像処理後に、前記の一時保存データ・パックよりキャッチし出した特定の目標の映像情報を長期間保存用のデータ・パックに保留するように機能化されつつ、前記の映像処理ユニットは、各種の映像処理技術を運用して特定の目標をキャッチし出し、且つ特定の目標の映像情報を長期間保存用データ・パックに転移し、且つ元の一時保存用のデータ・パック内の映像情報を削除し、一時保存用のエリア内の保存空間をクリアすることによって、改めて映像取得ユニットのキャッチした次のグローバル・イメージ・データを保存できるようにすることを特徴とする、
特定の目標の映像情報を取得可能な映像取得保存装置。
【請求項２】
前記の映像取得ユニットとして高画素度の撮影装置を好適に採用することを特徴とする、
請求項１に記載の特定の目標の映像情報を取得可能な映像取得保存装置。
【請求項３】
前記のデジタル処理装置としてコンピュータ装置を好適に採用することを特徴とする、
請求項１に記載の特定の目標の映像情報を取得可能な映像取得保存装置。
【請求項４】
前記の記録ユニットとして、高容量のハードディスク装置または他のデジタル・メモリ・ユニットを好適に採用することを特徴とする、
請求項１に記載の特定の目標の映像情報を取得可能な映像取得保存装置。
【請求項５】
映像取得ユニットによって連続的にカバーされる範囲内における映像情報をキャッチするステップ一と、
前記のキャッチした映像情報を一時保存用のデータ・パックに記憶保存するステップ二と、
前記の一時保存用のデータ・パックより特定の目標映像情報をサーチ及び比較を実行し、且つサーチし得た特定の目標の映像情報を長期間保存用のデータ・パックに記憶保存し、且つ元の一時保存用のデータ・パック内の映像情報を削除することによって、一時保存エリア内における保存空間をクリアさせるようにしたステップ三と、
からなることを特徴とする、
特定の目標の映像情報を取得可能な映像取得方法。
【請求項６】
前記の特定の目標の映像をキャッチする方法として、変位検出方法やシェープ・コンパレート方法や色彩コンパレート方法やサイズ・コンパレート方法や赤外線温度コンパレート方法や速度コンパレート方法などの方法のいずれ一種を好適に採用でき、且つ採用された前記のそれぞれの映像取得方法の中のいずれひとつが、主に使用場所の条件に従って適用できるように選択使用されるものであることを特徴とする、
請求項５に記載の特定の目標の映像情報を取得可能な映像取得方法。
【発明の詳細な説明】
【技術分野】
【０００１】
本発明は、一種のモニタリング映像の映像取得保存装置とその取得方法に係わり、特に連続性の繰り返しの性質を有する背景映像（イメージ）情報を削除でき、単に特定の目標の映像情報を記憶保存し、記憶保存する空間を減少するとともに、映像情報のトランスミッションの負担をも軽減でき、大きい範囲区域をモニタリングでき、且つ特定の目標の映像情報を保留でき、記憶に利用される容量を減少するとともに、トランスミッションの負担を軽減できるようにした、特定の目標の映像情報を取得可能な映像取得保存装置及びその映像取得方法に関するものである。
【背景技術】
【０００２】
さて、ビルの出入り口や駐車場やコンビニや銀行や普通の家庭などのそれぞれの場所においては、大部分が、モニタ装置が配設されたモニタ・システムが見られ、それらのモニタ装置のワイド・アングル・レンズによってそのカバーされる範囲内の通過する人間や車両などのことをモニタリング及び記録し、意外事件や刑事事件が発生される場合に、または特定なニーズを要する場合に、事件の過程を記録したビデオ・テープ（または記録メディアなど）を取り出して、事後に事件の責任を追究する。
【０００３】
しかしながら、従来のモニタ・システムは、大体ビデオ・テープを用いて撮影して情報を記録し、または、デジタル処理装置内のハードディスク装置を記録手段として映像を記録保存するが、従来のモニタ装置のレンズの解像度が好ましくなく、そのｃｃｄセンサーが３０万画素ぐらいのものしかなく、それに対して、最新の高画素度のｃｃｄセンサーが数百万または数千万画素にも及び、しかしながら、その映像情報が膨大的になっているため、記憶容量が不足になったり、撮影時間が短くなったりすることを招く場合があり、そのため、目前では、やはり低画素度のモニタ装置を主流としており、従来のモニタ・システムを使用する場合では、そのモニタ・システムにおけるモニタ装置がワイド・アングル・レンズによってそのカバーされる範囲内の所定のワイド・アングル・イメージを記録するので、その記録した画面中における特定の移動対象を識別しようとする場合に、常々それらの画素の数が不足なため、はっきりとアピールさせられないようになってしまう。特に特定の目標の距離があまりにも遠すぎる場合に、その撮影した映像の面貌の細部を識別しにくくなるので、モニタリングの目的を図れない遺憾がある。
【０００４】
また、従来の映像モニタニング・システムの場合では、より広い幅の区域をモニタリングしようとする場合に、且つ同時に局部的な細部情報を取得しようとする場合に、機械装置によって前記のレンズを旋回させることによってその目的を達成させる必要があるものであり、例えばＰＴＺ（Ｐａｎ  Ｔｉｌｔ  Ｚｏｏｍ）カメラによって特定の区域を狙うようにする。しかしながら、その映像取得の過程中に、機械構造の制限とその駆動の制限を受け、それらの機械自身が長時間の運動により磨耗されてしまう場合があり、且つそのレンズ自身が旋回後に改めて焦点を合せる必要があるので、間接的に撮影取材の反応時間の制限を生成させるように招く場合があり、目前の映像処理のソフトを利用する場合では、その映像情報を強化できるが、その映像強化技術が完璧的なものではないので、単に限度ありの改善しか実行できない。それとともに、従来のモニタリング・システムが確実的にモニタリングする映像をはっきりと掌握及び記録できないとともに、特定の目標に対し拡大を実行できないので、ぼんやりした映像を識別しにくくなる場合が多くなっている。
【０００５】
そのため、如何にしてモニタリング・システムの撮影しえた映像をはっきりと表示させられるとともに、映像情報の保存と送受信の負担を増加しないようにし、効果的にモニタリングと記録の目的を達成して特定の目標を拡大することなどは、至極改善されたがる大切な課題となっている。
【発明の開示】
【発明が解決しようとする課題】
【０００６】
前記の従来の映像取得保存装置及びその実行方法のそれぞれの項の遺憾に鑑みて、本発明の発明者は、それらが完璧になっていないと感じて、研究開発を進めるとともに、克服方法を作り出そうと思考し、その当該事業における複数年間の経験に基づいて、一種の特定の目標映像情報を取得できる映像取得保存装置及びその映像取得保存方法を提案し、連続的な繰り返される背景映像情報を削除でき、単に特定の目標の映像の情報を取得保留し、保存空間と映像情報の送受信の負担を軽減し、大きい範囲の区域をモニタリングする目的を図り、且つ特定の目標の映像情報をキャッチし、メモリ占用容量を減少するとともに、情報送受信の負担を大幅に軽減する効果を取得することをその目的とする。
【０００７】
そのため、本発明は、連続的に繰り返される背景映像情報を削除し、単に取得しようとする特定の目標の映像情報を保存することによって、保存空間と映像送受信の負担を軽減し、モニタリング可能な範囲を大幅に広げる効果を有し、且つ特定の目標の映像情報をキャッチする機能を有し、メモリ占用容量と情報送受信の負担を軽減する効果を図れる、特定の目標の映像を取得保存する装置とその取得保存方法を提供することをその主要な解決しようとする課題とする。
【０００８】
また、本発明は、特定の目標の映像情報をキャッチするとともに、複数倍拡大させる後に、依然として映像画面を高度の解像度によってアピールできるようにした、特定目標映像情報の取得保存装置及びその取得保存方法を提供することをその第二の解決しようとする課題とする。
【課題を解決するための手段】
【０００９】
前記の目的を図るために、本発明は、そのカバーされる範囲内における映像情報を連続的にキャッチするための映像取得ユニットと、前記の映像取得ユニットと接続し、最も新しい映像情報を受け取り、且つ記録ユニットと映像処理ユニットとを有する、デジタル処理装置と、を備えており、その中では、前記の記録ユニットには、若干の一時保存用と長期間保存用のデータ・パックが配設され、それぞれには、前記の映像取得ユニットのキャッチしたグローバル・イメージ・データを一時保存し、また、後続きの映像処理後に、前記の一時保存データ・パックよりキャッチし出した特定の目標の映像情報を長期間保存用のデータ・パックに保留するように機能化されつつ、前記の映像処理ユニットは、各種の映像処理技術を運用して特定の目標をキャッチし出し、且つ特定の目標の映像情報を長期間保存用データ・パックに転移し、且つ元の一時保存用のデータ・パック内の映像情報を削除し、一時保存用のエリア内の保存空間をクリアすることによって、改めて映像取得ユニットのキャッチした次のグローバル・イメージ・データを保存できるようにする、特定の目標の映像情報を取得可能な映像取得保存装置及び取得保存方法を提供する。
【発明を実施するための最良の形態】
【００１０】
本発明の目的とその特徴とその効果性をさらに詳しく説明するために、以下に具体的な実施の形態を挙げて添付図面を参照しながら、本発明の実施例を具体的に説明する。
【００１１】
図１に示すのは、本発明の映像取得保存装置の構成を示すブロック図である。その図面に示すように、その特定の目標の映像情報をキャッチするための映像取得保存装置には、少なくとも一つの映像取得ユニット１を有し、それは高画素度の撮影装置であり、主に連続的にそのカバーされる範囲内の映像情報をキャッチするための手段である。また、本発明による装置には、少なくとも一つのデジタル処理装置２を有し、それが前記の映像取得ユニット１と接続し、最新の映像情報を受信することに用いられ、そのデジタル処理装置２の内部には少なくとも一つの記録ユニット２１と映像処理ユニット２２を備えており、その中では、前記の記録ユニット２１として大きい容量を有するハードディスク装置または他の種のメモリユニットを使用し、それには、若干の一時保存用と長時間保存用のデータ・パック同士が配設され、それぞれには、前記の映像取得ユニット１のキャッチした映像の情報を一時的に前記の一時保存データ・パックに保存し、且つその後続きの映像処理の後で、前記の一時保存データ・パック内のキャッチし出した特定の目標の映像情報を長期間保存用のデータ・パック内に記憶保存する。また、前記の映像処理ユニット２２が各種の映像処理技術によって特定の目標をキャッチし出すとともに、それらの特定の目標の映像の情報を長期間保存用のデータ・パック内に転移保存し、前記の一時保存用のデータ・パック内に保存される映像情報が最後にクリアされ、その記録ユニット２１に改めて映像取得ユニット１のキャッチした次のグローバル・イメージ・データを保存できるように設定する。
【００１２】
また、図２に示すのは、本発明の方法のフローのフローチャートであり、その図面に示すように、少なくとも下記のようなそれぞれのステップを含有している。つまり、前記の映像取得ユニットによって連続的にカバーされる範囲内における映像情報をキャッチするステップ一と、前記のキャッチした映像情報を一時保存用のデータ・パックに記憶保存するステップ二と、前記の一時保存用のデータ・パックより特定の目標映像情報をサーチ及び比較を実行し、且つサーチし得た特定の目標の映像情報を長期間保存用のデータ・パックに記憶保存し、且つ元の一時保存用のデータ・パック内の映像情報を削除することによって、一時保存エリア内における保存空間をクリアさせるようにしたステップ三と、を有している。
【００１３】
本発明の装置とその方法による場合、それぞれ異なる場所に設定してそれぞれ異なる状況の特定の映像を取得する機能性を有し、図３と図４と図５に示すように、それらの図面は本発明の優れる映像情報処理状況の参考図であり、図３に示すように、高画素度の撮影装置を採用して特定の区域に対し大きい範囲の撮影を実行し、且つ高画素度の映像を表示器に忠実的にアピールさせ、且つデジタル処理装置において区域内の特定の物体を設定し、それを映像をキャッチするための目標とし、また、撮影し得た映像情報をも一時保存用のデータ・パック内に保存し、例えば図４に示すように、その区域を経過している人間や車両などを映像をキャッチするための目標とし、その映像処理ユニットがその一時保存用のデータ・パック内の人間や車両などに対しその映像情報をキャッチし、また、キャッチしえた人間または車両の映像情報を長時間保存用のデータ・パック内に保存し、そして、連続的に繰り返して撮影された背景が保存されないように処分され、且つ映像を採集後の一時保存用のデータ・パックの内部のスペースをクリアし、こうすると、大量に保存空間を節約でき、他に、設定される特定の目標のキャッチのことが、下記のような複数種の方法のいずれ一種を好適に採用できる。つまり、変位検出方法やシェープ・コンパレート方法や色彩コンパレート方法やサイズ・コンパレート方法や赤外線温度コンパレート方法や速度コンパレート方法などの方法のいずれ一種を好適に採用でき、且つ採用された前記のそれぞれの映像取得方法の中のいずれひとつが、主に使用場所の条件に従って適用できるように選択使用されるものである。
【００１４】
また、個別にキャッチし出した保存データ・パックに保存された人間や車両などの映像の情報が微小の画素からなる高画素度の映像であるので、使用者は情報を検閲する場合に、何倍を拡大してもその映像情報の画面もディとーションを生じない（図５参照）。
【産業上の利用可能性】
【００１５】
前記のように、本発明による場合では、連続的に繰り返される背景映像の情報を削除し、単に取得しようとする設定映像の情報を取得できるので、保存空間と映像の送受信の負担を大幅に軽減でき、大きい範囲をもにタニング可能な目的を図れ、且つ設定された目標の映像情報をキャッチできる目的を図れ、メモリの記憶負担と送受信の負担を大幅に減少できる効果を有効的に向上できる。
【００１６】
前記に説明したように、本発明の設計は、従来の映像取得情報保存装置及び保存方法より新たに創作するところがあり、且つ実用性と産業上の利用可能性に富み、既に、法定の要件の新規性と進歩性との要件に該当するので、法に従って特許出願を提起するが、ご査察の上、早期に公開されるよう宜しくお願い申し上げますこと。
【００１７】
また、本発明については、前記のように実施の形態によって掲げていたが、それらは本発明の実施範囲を制限するものではなく、いずれの当該分野における技術者は本発明の開示された要旨と技術精神に基づいて他の相同の効果を有する改造や変更や一部転用を実施できるが、それらのこともすべて本発明の主張範囲内に納入されるべきことが言うまでもないことである。
【図面の簡単な説明】
【００１８】
【図１】本発明の映像取得保存装置の構成を示すブロック図である。
【図２】本発明の方法を示すフローチャートである。
【図３】本発明の優れる映像処理状況を示す参考図１である。
【図４】本発明の優れる映像処理状況を示す参考図２である。
【図５】本発明の優れる映像処理状況を示す参考図３である。
【符号の説明】
【００１９】
１    映像取得ユニット
２    デジタル処理装置
２１  記録ユニット
２２  映像処理ユニット
【図１】
2006050030.tif 000003
【図２】
2006050030.tif 000004
【図３】
2006050030.tif 000005
【図４】
2006050030.tif 000006
【図５】
2006050030.tif 000007